(57)【要約】【課題】水熱交換器において冷媒配管及び水配管の離間部分を設けることなく，該冷媒配管内の冷媒温度を正確に取得することのできるヒートポンプ式加熱装置を提供すること。【解決手段】ヒートポンプサイクルに循環される冷媒が流通する冷媒配管と，冷媒との熱交換によって加熱される被加熱流体が流通する被加熱流体配管とが熱的に結合するように渦巻状に積層された熱交換器において，該冷媒配管に外接して設けられた冷媒温度検出手段によって検出された冷媒の温度を，少なくとも圧縮機の回転数に基づいて補正することを特徴とするヒートポンプ式加熱装置として構成されている。【選択図】図４
2009299985.tif 000002
【特許請求の範囲】
【請求項１】
圧縮機，室外空気熱交換器及び膨張機構を有するヒートポンプサイクルに接続され，該ヒートポンプサイクルに循環される冷媒が流通する冷媒配管と，前記冷媒との熱交換によって加熱される被加熱流体が流通する一又は複数の被加熱流体配管とが熱的に結合するように渦巻状に積層された熱交換器を備えたヒートポンプ式加熱装置であって，
前記熱交換器の冷媒配管に外接して設けられ，該冷媒配管内の冷媒の温度を検出する冷媒温度検出手段と，
前記冷媒温度検出手段によって検出された冷媒の温度を少なくとも前記圧縮機の回転数に基づいて補正する冷媒温度補正手段と，
を備えてなることを特徴とするヒートポンプ式加熱装置。
【請求項２】
前記冷媒温度補正手段が，前記圧縮機の回転数と，前記熱交換器における被加熱流体配管への流体の流入温度及び／又は前記熱交換器における被加熱流体配管からの流体の流出温度とに基づいて，前記冷媒温度検出手段によって検出された冷媒の温度を補正してなる請求項１に記載のヒートポンプ式加熱装置。
【請求項３】
前記圧縮機の回転数と，前記冷媒温度検出手段による検出温度及び前記熱交換器の冷媒配管内の冷媒温度の温度誤差との対応関係を示す誤差対応情報が記憶された誤差対応情報記憶手段を備えてなり，
前記冷媒温度補正手段が，前記冷媒温度検出手段によって検出された冷媒の温度を，前記圧縮機の回転数と前記誤差対応情報とに基づいて補正するものである請求項１に記載のヒートポンプ式加熱装置。
【請求項４】
前記圧縮機の回転数と，前記冷媒温度検出手段による検出温度及び前記熱交換器の冷媒配管内の冷媒温度の温度誤差との対応関係を示す誤差対応情報が記憶された誤差対応情報記憶手段を備えてなり，
前記冷媒温度補正手段が，前記誤差対応情報記憶手段に記憶された前記誤差対応情報を前記流入温度及び／又は前記流出温度の値に応じて変更し，該変更後の誤差対応情報と前記圧縮機の回転数とに基づいて，前記冷媒温度検出手段によって検出された冷媒の温度を補正するものである請求項２に記載のヒートポンプ式加熱装置。
【請求項５】
前記冷媒温度補正手段によって補正された後の冷媒温度に基づいて前記圧縮機の駆動制御を行う圧縮機制御手段を更に備えてなる請求項１〜４のいずれかに記載のヒートポンプ式加熱装置。
【請求項６】
前記冷媒温度検出手段が，前記熱交換器における冷媒配管の配管長の略中央部に設けられてなる請求項１〜５のいずれかに記載のヒートポンプ式加熱装置。
【発明の詳細な説明】
【技術分野】
【０００１】
本発明は，ヒートポンプサイクルに循環される冷媒によって水やブライン（不凍液）などの流体を加熱する熱交換器を備えたヒートポンプ式給湯機などのヒートポンプ式加熱装置に関し，特に，前記熱交換器において冷媒が循環される冷媒配管の冷媒の温度を検出するための技術に関するものである。
【背景技術】
【０００２】
従来から，圧縮機や膨張弁，水熱交換器，室外空気熱交換器などが接続されたヒートポンプサイクルを備え，該ヒートポンプサイクルに循環される冷媒との熱交換によって水を加熱して給湯するヒートポンプ式給湯機が知られている（例えば，特許文献１参照）。前記水熱交換器では，ヒートポンプサイクルに循環される冷媒が流通する冷媒配管と，その冷媒との熱交換によって加熱される水が流通する水配管とが渦巻状に積層されている。
ここで，ヒートポンプ式給湯機では，ヒートポンプサイクルを形成する圧縮機や膨張弁，室外空気熱交換器のファンなどを制御するための指標として，前記水熱交換器に流通する冷媒の温度（凝縮温度）を検出する必要がある。
具体的に，特許文献１に開示されたヒートポンプ式給湯機では，冷媒配管及び水配管を渦巻き状に積層した同形状の二つのコイル体を有する水熱交換器が開示されている。この水熱交換器では，その二つのコイル体の間を連結する冷媒配管及び水配管が離間されており，その離間された冷媒配管に温度センサを設置することで冷媒の凝縮温度を検出している。このような構成では，冷媒配管内の冷媒の凝縮温度を水配管内の水による影響を受けずに検出することができる。
【特許文献１】特許第３９４９５８９号公報
【発明の開示】
【発明が解決しようとする課題】
【０００３】
しかしながら，特許文献１のように二つのコイル体を形成してそれらを連結するような構成では，その二つのコイル体を冷媒配管及び水配管で連結することが生産工程で手間となり，コストアップにつながるという問題がある。また，温度センサの設置位置では冷媒配管と水配管を離間させる必要があるため，その部分で冷媒と水との熱交換を行うことができない。
そのため，本来は，冷媒配管及び水配管の離間部を設けることなく冷媒の凝縮温度を検出し得る構成が望ましい。しかし，冷媒配管及び水配管が接触する箇所で該冷媒配管に温度センサを設けると，その温度センサによる検出温度が水配管内の水からの熱影響を受け，該冷媒配管内の冷媒の温度を正確に検出することができないという問題がある。
従って，本発明は上記事情に鑑みてなされたものであり，その目的とするところは，水熱交換器において冷媒配管及び水配管の離間部分を設けることなく，該冷媒配管内の冷媒温度を正確に取得することのできるヒートポンプ式加熱装置を提供することにある。
【課題を解決するための手段】
【０００４】
上記目的を達成するために本発明は，圧縮機，室外空気熱交換器及び膨張機構を有するヒートポンプサイクルに接続され，該ヒートポンプサイクルに循環される冷媒が流通する冷媒配管と，前記冷媒との熱交換によって加熱される被加熱流体が流通する一又は複数の被加熱流体配管とが熱的に結合するように渦巻状に積層された熱交換器を備えたヒートポンプ式加熱装置に適用されるものであって，前記熱交換器の冷媒配管に外接して設けられ，該冷媒配管内の冷媒の温度を検出する冷媒温度検出手段と，前記冷媒温度検出手段によって検出された冷媒の温度を少なくとも前記圧縮機の回転数に基づいて補正する冷媒温度補正手段とを備えてなることを特徴とするヒートポンプ式加熱装置として構成される。なお，冷媒の凝縮温度をできるだけ正確に検出するため，前記冷媒温度検出手段は前記熱交換器における冷媒配管の配管長の略中央部に設けておくことが望ましい。
このように構成されたヒートポンプ式加熱装置では，前記冷媒温度検出手段によって検出された冷媒温度を前記圧縮機の回転数に基づいて補正することで温度誤差を除外することができ，高い精度で前記冷媒配管内の冷媒温度を取得することが可能である。従って，前記ヒートポンプ式加熱装置では，前記冷媒配管及び前記被加熱流体配管の離間部分を設けることなく，前記熱交換器の構造の簡素化を図ることができる。ここに，本発明は，ヒートポンプ式加熱装置の熱交換器において，前記冷媒温度検出手段による検出温度が前記被加熱流体配管から受ける熱影響の程度が，前記圧縮機の回転数に大きく依存することを見出したことにより実現されたものである。
【０００５】
ところで，前記ヒートポンプ式加熱装置では，前記圧縮機の回転数だけではなく，前記熱交換器における被加熱流体配管への流体の流入温度や，前記熱交換器における被加熱流体配管からの流体の流出温度などによっても，前記冷媒温度検出手段によって検出される冷媒の温度誤差が変動する。
従って，前記冷媒温度補正手段が，前記圧縮機の回転数と前記流入温度や前記流出温度とに基づいて，前記冷媒温度検出手段によって検出された冷媒の温度を補正するように構成することがより望ましい。これにより，前記流入温度や前記流出温度の変化による温度誤差の変動に対応することができ，前記冷媒配管内の冷媒温度をより高い精度で検出することができる。
【０００６】
前記圧縮機の回転数に基づく検出温度の補正手法としては，例えば前記圧縮機の回転数と，前記冷媒温度検出手段による検出温度及び前記熱交換器の冷媒配管内の冷媒温度の温度誤差との対応関係を示す誤差対応情報が記憶された誤差対応情報記憶手段を設けておき，前記冷媒温度補正手段が，前記冷媒温度検出手段によって検出された冷媒の温度を，前記圧縮機の回転数と前記誤差対応情報とに基づいて補正するように構成することが考えられる。これにより，前記圧縮機の回転数に基づく検出温度の補正が可能となる。
また，前記冷媒温度補正手段が，前記流入温度や前記流出温度をも考慮して補正を行う場合の補正手法としては，前記誤差対応情報記憶手段に記憶された前記誤差対応情報を，前記流入温度や前記流出温度の値に応じて変更し，その変更後の誤差対応情報と前記圧縮機の回転数とに基づいて，前記冷媒温度検出手段によって検出された冷媒の温度を補正することが考えられる。これにより，前記圧縮機の回転数と前記流入温度や前記流出温度とに基づく検出温度の補正が可能となる。
ところで，前記冷媒温度補正手段によって補正された後の冷媒温度は，該冷媒温度に基づいて前記圧縮機の駆動制御を行う圧縮機制御手段に用いられる。これにより，前記圧縮機制御手段では，前記冷媒温度補正手段によって補正された後の精度高い冷媒の凝縮温度に基づいて前記圧縮機の高圧制御などを適切に行うことができる。
【発明の効果】
【０００７】
本発明によれば，前記冷媒温度検出手段によって検出された冷媒温度を前記圧縮機の回転数に基づいて補正することで温度誤差を除外することができ，高い精度で前記冷媒配管内の冷媒温度を取得することが可能である。従って，前記ヒートポンプ式加熱装置では，前記冷媒配管及び前記被加熱流体配管の離間部分を設けることなく，前記熱交換器の構造の簡素化を図ることができる。
【発明を実施するための最良の形態】
【０００８】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係るヒートポンプ式給湯機Ｘの概略構成を示すブロック図，図２はヒートポンプ式給湯機Ｘに設けられた水熱交換器１４の外観模式図，図３は水熱交換器１４に設けられた温度センサ３１を説明するための図，図４は誤差対応情報の一例を説明するための図である。
まず，図１を用いて，本発明の実施の形態に係るヒートポンプ式給湯機Ｘの概略構成について説明する。なお，本実施の形態では，本発明に係るヒートポンプ式加熱装置の一例として，温水を給湯するヒートポンプ式給湯機Ｘを例に挙げて説明するが，本発明は，例えば温水やブライン（不凍液）を用いて床暖房を行うヒートポンプ式床暖房装置，浴槽の水を沸き上げる追い焚き装置，これらの機能を併せ持つシステムなどに適用することが可能である。
【０００９】
図１に示すように，ヒートポンプ式給湯Ｘは，冷媒が循環されるヒートポンプサイクル（冷凍サイクル）１と，温水を貯留又は給湯するための給湯回路２と，各々の配置位置において冷媒又は水の温度を検出する温度センサ３１〜３３と，当該ヒートポンプ式給湯機Ｘを統括的に制御する制御部４とを備えて構成されている。ここに，ヒートポンプサイクル１に循環される冷媒には，例えばＣＯ2冷媒などの炭酸ガス冷媒（自然冷媒の一種）や，Ｒ４１０ＡなどのＨＦＣ冷媒が用いられる。
ヒートポンプサイクル１は，冷媒を圧縮する圧縮機１１と，圧縮機１１から流出した冷媒と給湯回路２の水（被加熱流体の一例）との間で熱交換を行う水熱交換器１４（熱交換器の一例）と，水熱交換器１４から流出した冷媒を状態変化（膨張）させる膨張弁１３と，冷媒と室外空気との間で熱交換を行う室外空気熱交換器１２とを備えている。なお，膨張弁１３は，冷媒を状態変化させる膨張機構の一例に過ぎず，キャピラリーチューブなどの他の膨張機構を採用してもよい。
温度センサ３１（冷媒温度検出手段の一例）は，このヒートポンプサイクル１の冷媒の凝縮温度を検出するために用いられるものであって，水熱交換器１４に配置されている。温度センサ３１による検出温度は制御部４に入力される。なお，温度センサ３１による温度検出については後段で詳述する。
【００１０】
一方，給湯回路２は，水熱交換器１４において冷媒との熱交換によって加熱された後の温水（例えば４５〜９０℃程度）を貯留するための貯湯タンク２１と，貯湯タンク２１の下層から水熱交換器１４を経て貯湯タンク２１の上層に水を循環させるための循環ポンプ２２と，給水口２３からの水と貯湯タンク２１の上層から供給される湯とを混合して給湯口２４から給湯する温水の温度を調節するための電磁三方弁２５とを備えている。
温度センサ３２は，水熱交換器１４からの温水の流出温度（以下「出湯温度」という），温度センサ３３は，該水熱交換器１４への水の流入温度（以下「入水温度」という），温度センサ３４は，外気温度をそれぞれ検出するものであって，その検出結果を制御部４に入力する。温度センサ３２や温度センサ３３，温度センサ３４は熱電対やサーミスタなどであり，これらについては一般的なヒートポンプ式給湯機と同様である。また，温度センサ３４は，室外空気熱交換器１２の空気吸い込み側に配置されている。
【００１１】
制御部４は，ＣＰＵ，ＲＡＭ，ＲＯＭなどの制御機器を有しており，該ＣＰＵがＲＯＭに記憶された制御プログラムに従って各種の処理を実行することにより，当該ヒートポンプ式給湯機Ｘの各構成要素の動作を制御する。例えば，制御部４は，温度センサ３３，３４によって検出された入水温度や外気温度などに基づいて，圧縮機１１の回転数（以下「コンプ回転数」という）や，室外空気熱交換器１２の送風ファンの回転数などを制御することにより，該ヒートポンプサイクル１による加熱能力を調整する。具体的に，ヒートポンプ式給湯機Ｘでは，外気温度や入水温度，目標出湯温度などによってコンプ回転数を設定するための設定条件が制御部４のＲＯＭなどに予め記憶されており，該制御部４は，その設定条件に従ってコンプ回転数を制御する。
また，制御部４は，循環ポンプ２２の駆動を制御することによって給湯回路２に流通する水流量（給湯量）を調整し，出湯温度を目標出湯温度に制御する。例えば，制御部４は，目標出湯温度と出湯温度との偏差，その積分，その微分の３つの要素によってフィードバック制御を行うＰＩＤ制御（Ｐ（比例制御），Ｉ（積分制御），Ｄ（微分制御））などを実行することにより，循環ポンプ２２のポンプ回転数を変更して水流量を調整することで，出湯温度を目標出湯温度に制御する。
なお，その他，ヒートポンプ式給湯機Ｘにおけるコンプ回転数と循環ポンプ２２の水流量（又はポンプ回転数）との関係を下記の表１に示すように設定しておき，制御部４が，下記表１の設定条件に基づいて，要求される水流量［ｌ／ｍｉｎ］に応じてコンプ回転数［ｒｐｍ］を変更するように構成することも考えられる。
【表１】
2009299985.tif 000003
【００１２】
ここで，図２及び図３を用いて，水熱交換器１４の構造について説明する。
図２に示すように，水熱交換器１４は，ヒートポンプサイクル１の冷媒が流通する冷媒配管１４１と，給湯回路２の水（被加熱流体の一例）が流通する水配管１４２（被加熱流体配管の一例）とを有している。冷媒配管１４１及び水配管１４２は，交互に積層されるように渦巻状（コイル状，螺旋状など）に曲成されている。例えば，水熱交換器１４は平面視で略矩形状，略円形状，略扁平形状，略トラック形状などに形成されており，渦巻状という表現はこれらの形状で巻かれた状態を含む概念である。ここに，水熱交換器１４では，冷媒配管１４１及び水配管１４２が全長に亘って接触しており，離間部分が設けられていない。
そして，冷媒配管１４１及び水配管１４２は，その接触部がろう付けされており，熱的に結合されている（図３（ａ）参照）。これにより，ヒートポンプ式給湯機Ｘでは，水熱交換器１４の冷媒配管１４１に冷媒が流通され，水配管１４２に水が流通されることにより，冷媒及び水の間で熱交換が行われ，その水が加熱される。なお，このとき冷媒配管１４１内の冷媒は，水配管１４２内の水との熱交換によって凝縮されて液化される。
本実施の形態では，ヒートポンプ式給湯機Ｘを例に挙げて説明するため，水熱交換器１４において水と冷媒との間で熱交換が行われるが，本発明を例えば被加熱流体としてブライン（不凍液）を用いるヒートポンプ式床暖房装置に適用する場合には，該ブラインが冷媒との熱交換によって加熱されることになる。さらに，ヒートポンプ式給湯機Ｘが，給湯機能の他に，例えば床暖房機能や浴槽の追い焚き機能などの機能を有する場合，冷媒配管１４１に対して複数の配管（被加熱流体配管）が熱的に結合されることも考えられるが，この場合にも本発明は適用可能である。
【００１３】
前述したように，ヒートポンプ式給湯機Ｘでは，ヒートポンプサイクル１における圧縮機１１のコンプ回転数などを制御するため，水熱交換器１４の冷媒配管１４１に流通する冷媒温度を検出する必要がある。
そのため，水熱交換器１４における冷媒配管１４１の配管長の略中央部には，該冷媒配管１４１内の冷媒温度を検出する温度センサ３１が設けられている。なお，温度センサ３１の配置位置は，冷媒配管１４１の配管長の中央部と同等の温度を検出することができる位置であれば，該中央部からずれた位置であってもよい。
ここに，図３（ａ）は図２におけるＡ−Ａ矢視断面の要部を示す図，図３（ｂ）は温度センサ３１の構造を示す図である。
図３（ｂ）に示すように，温度センサ３１は，伝熱管３１２内に収納された熱電対３１１を用いるものである。この温度センサ３１は，図３（ａ）に示すように，伝熱管３１２が冷媒配管１４１の外周に密着するように該冷媒配管１４１に外接した状態でろう付けされており，冷媒配管１４１に熱的に結合されている。なお，温度センサ３１は，サーミスタなどの温度センサであってもよい。
このように構成された水熱交換器１４では，冷媒配管１４１及び水配管１４２の接触部分に温度センサ３１が設けられているため，該温度センサ３１によって検出される冷媒配管１４１内の冷媒の温度は，水配管１４２内の水からの熱影響を受けることになる。
そこで，当該ヒートポンプ式給湯機Ｘでは，温度センサ３１で検出された冷媒温度を補正するための処理が制御部４によって実行される。以下，具体的に説明する。
【００１４】
以下，ヒートポンプ式給湯機Ｘにおいて制御部４によって実行される検出温度の補正処理について説明する。
ここに，図４は，ヒートポンプ式給湯機Ｘにおけるコンプ回転数，温度センサ３１による検出温度，その検出温度と実際の冷媒温度との温度差（以下「温度誤差」という）の関係を示している。なお，図４は，外気温度ＤＢ／ＷＢ（乾球温度／湿球温度）が１６／１２℃，入水温度３５℃，出湯温度６０℃の条件において，コンプ回転数を変化させた場合の実験結果である。
図４を参照すると，温度センサ３１による検出温度の温度誤差は，コンプ回転数によって変化することがわかる。従って，例えば温度センサ３１の検出温度に予め設定された一定の値を加算するだけでは，該検出温度を正確に補正することができない。具体的に，コンプ回転数１８００［ｒｐｍ］の場合には，温度センサ３１による検出温度が５４．３℃，実際の冷媒温度が５６．８℃，温度誤差が２．５℃となっており，コンプ回転数６０００［ｒｐｍ］の場合には，温度センサ３１による検出温度が５１．８℃，実際の冷媒温度が６０．０℃，温度誤差が８．２℃となっている。
【００１５】
そこで，当該ヒートポンプ式給湯機Ｘでは，コンプ回転数と温度誤差との対応関係（図４参照）を示す誤差対応情報が，制御部４のＲＯＭなど（誤差対応情報記憶手段に相当）に予め記憶されており，該制御部４は，その誤差対応情報とコンプ回転数とに基づいて温度センサ３１による検出温度を補正するように構成されている。ここに，係る補正処理を実行するときの制御部４が冷媒温度補正手段に相当する。
具体的に，制御部４は，コンプ回転数が１８００［ｒｐｍ］であれば，温度センサ３１による検出温度にそのコンプ回転数に対応する温度誤差２．５℃を加算し，コンプ回転数が６０００［ｒｐｍ］であれば，温度センサ３１による検出温度にそのコンプ回転数に対応する温度誤差８．２℃を加算することで，その検出温度を正しい冷媒温度に補正する。なお，制御部４は，例えば圧縮機１１への制御指示の設定内容に基づいて，或いは圧縮機１１からの応答信号に基づいて該圧縮機１１のコンプ回転数を取得する。
このように，ヒートポンプ式給湯機Ｘでは，水熱交換器１４における冷媒配管１４１及び水配管１４２の接触部において該冷媒配管１４１に接触配置された温度センサ３１による検出温度が，コンプ回転数に基づいて補正されることで，正しい凝縮温度を得ることが可能である。そのため，水熱交換器１４において冷媒配管１４１及び水配管１４２を離間させる離間部を設ける必要がなく，該水熱交換器１４の製造工程の負担を軽減してコストダウンを図ることができる。
そして，ヒートポンプ式給湯機Ｘでは，制御部４により，その補正後の冷媒温度に基づいてヒートポンプサイクル１上に設けられた圧縮機１１のコンプ回転数や膨張弁１３の開閉度，室外空気熱交換器１２のファン回転数などを適切に制御することができ，例えば圧縮機１１の高圧異常などの発生を防止する高圧制御を高い精度で実行することができる。なお，補正された後の冷媒温度に基づいて圧縮機１１の駆動制御を行うときの制御部４が圧縮機制御手段に相当する。
【００１６】
なお，本実施形態では，図４に示すように６段階のコンプ回転数に対応する温度誤差を示す誤差対応情報について説明したが，ヒートポンプ式給湯機Ｘでは，それ以外のコンプ回転数に設定される場合も考えられる。
そこで，制御部４が，図４に示すような実験結果から得られたコンプ回転数及び温度誤差の関係に基づいて定まる関係式を用いて補正を行うように構成することが望ましい。前記関係式は，誤差対応情報として予め制御部４のＲＯＭに記憶しておくことや，該制御部４において演算することによってその都度得ることが考えられる。
これにより，制御部４のＲＯＭに多量のデータを記憶することなく任意のコンプ回転数に対応する補正を行うことが可能である。もちろん，図４に示す誤差対応情報よりも分解能の高いデータテーブルを制御部４のＲＯＭに記憶させておく構成を除外するものではない。
【実施例】
【００１７】
ところで，前記実施の形態では，圧縮機１１のコンプ回転数に基づいて温度センサ３１による検出温度を補正する場合を例に挙げて説明した。一方，ヒートポンプ式給湯機Ｘでは，水熱交換器１４の入水温度や出湯温度によっても，温度センサ３１による検出温度の温度誤差が変動する。
ここに，図５は，ヒートポンプ式給湯機Ｘにおいて水熱交換器１４の入水温度が異なる場合のコンプ回転数と温度誤差との関係，図６はヒートポンプ式給湯機Ｘにおいて水熱交換器１４の出湯温度が異なる場合のコンプ回転数と温度誤差との関係を示している。
具体的に，図５は，ヒートポンプ式給湯機Ｘにおいて，外気温度ＤＢ／ＷＢ（乾球温度／湿球温度）が１６／１２℃，出湯温度４５℃の条件で，入水温度を５℃，１７℃の各々としたときのコンプ回転数と温度誤差との関係を示している。
また，図６は，ヒートポンプ式給湯機Ｘにおいて，外気温度ＤＢ／ＷＢ（乾球温度／湿球温度）が１６／１２℃，入水温度１７℃の条件で，出湯温度を４５℃，６０℃の各々としたときのコンプ回転数と温度誤差との関係を示している。
図５及び図６に示すように，ヒートポンプ式給湯機Ｘでは，水熱交換器１４の入水温度や出湯温度によって，コンプ回転数に対応する温度誤差の大きさが変化する。
【００１８】
そこで，ヒートポンプ式給湯機Ｘでは，制御部４によって温度センサ３１による検出温度をコンプ回転数に基づいて補正する際，さらに水熱交換器１４の入水温度や出湯温度による温度誤差の変化をも考慮することが望ましい。即ち，制御部４が，コンプ回転数と入水温度や出湯温度とに基づいて温度センサ３１による検出温度を補正することが望ましい。
例えば，予め，コンプ回転数と温度誤差との対応関係を示すデータテーブル（例えば図５のグラフ参照，誤差対応情報の一例）を，水熱交換器１４の入水温度の値ごとに対応して複数設定しておき，そのデータテーブルを制御部４のＲＯＭなど（誤差対応情報記憶手段に相当）に記憶させておくことが考えられる。この場合，制御部４は，温度センサ３３によって検出された入水温度に対応するデータテーブルを抽出し，そのデータテーブルで定められたコンプ回転数に対応する温度誤差を用いることで，温度センサ３１による検出温度を適切に補正することができる。即ち，制御部４は，入水温度に応じて用いるデータテーブルを変更し，該変更後のデータテーブルとコンプ回転数とに基づいて補正を行う。
また，入水温度の変化と温度誤差の変化との間に所定の関係が成立するのであれば，該入水温度に対応する複数のデータテーブルを用意しておくのではなく，その関係によって，その都度，データテーブルにおけるコンプ回転数に対する温度誤差の補正の程度を変更するように構成することが望ましい。例えば，コンプ回転数が同じときに入水温度が±１℃変化すると，それに伴って温度誤差が±０．１℃だけ変化するという関係がわかっている場合には，その関係式を記憶しておくだけで入水温度の変化を考慮した適切な補正を行うことが可能である。
【００１９】
また，水熱交換器１４の出湯温度についても同様である。即ち，予め，コンプ回転数と温度誤差との対応関係を示すデータテーブル（例えば図６のグラフ参照，誤差対応情報の一例）を，水熱交換器１４の出湯温度の値ごとに対応して複数設定しておき，そのデータテーブルを制御部４のＲＯＭなど（誤差対応情報記憶手段に相当）に記憶させておきくことが考えられる。これにより，制御部４は，出湯温度に応じて用いるデータテーブルを変更し，その変更後のデータテーブルで定められたコンプ回転数に対応する温度誤差を用いることで，温度センサ３１による検出温度を適切に補正することができる。なお，もちろん出湯温度の変化と温度誤差の変化との間に所定の関係が成立するのであれば，その関係によって，その都度，温度誤差の補正の程度を変更するように構成してもよい。
さらにまた，コンプ回転数と水熱交換器１４の入水温度及び出湯温度の両方とに基づいて補正を行うことや，入水温度と出湯温度との温度差に基づいて補正を行うことなど，温度センサ３１による検出温度の温度誤差に影響するより多くの要素によって補正を行えば，より高い精度で冷媒の凝縮温度を検出することができる。なお，この場合には，例えばコンプ回転数，入水温度，出湯温度の値を代入することで温度誤差を算出し得る関係式（誤差対応情報の一例）を予め定義しておくことが考えられる。
【図面の簡単な説明】
【００２０】
【図１】本発明の実施の形態に係るヒートポンプ式給湯機の概略構成を示すブロック図。
【図２】本発明の実施の形態に係るヒートポンプ式給湯機に設けられた水熱交換器の外観模式図。
【図３】本発明の実施の形態に係るヒートポンプ式給湯機に設けられた水熱交換器に設けられた温度センサを説明するための図。
【図４】誤差対応情報の一例を説明するための図。
【図５】ヒートポンプ式給湯機において水熱交換器の入水温度が異なる場合のコンプ回転数と温度誤差との関係を示す図。
【図６】ヒートポンプ式給湯機において水熱交換器の出湯温度が異なる場合のコンプ回転数と温度誤差との関係を示す図。
【符号の説明】
【００２１】
１…ヒートポンプサイクル
１１…圧縮機
１２…室外空気熱交換器
１３…膨張弁
１４…水熱交換器（熱交換器の一例）
１４１…冷媒配管
１４２…水配管（被加熱流体配管の一例）
２…給湯回路
２１…貯湯タンク
２２…循環ポンプ
２３…給水口
２４…給湯口
２５…電磁三方弁
３１…温度センサ（冷媒温度検出手段の一例）
３２，３３，３４…温度センサ
４…制御部
Ｘ…ヒートポンプ式給湯機（ヒートポンプ式加熱装置の一例）
【図１】
2009299985.tif 000004
【図２】
2009299985.tif 000005
【図３】
2009299985.tif 000006
【図４】
2009299985.tif 000007
【図５】
2009299985.tif 000008
【図６】
2009299985.tif 000009